(57)【特許請求の範囲】
【請求項１】
電話機、電話端末装置及び所定情報を管理記憶するコンピュータ装置を接続する網であって、
前記電話端末装置は、少なくとも相手電話機との間で電話通信を行う電話通信用通信路と、前記相手電話機とは異なる接続先の前記コンピュータ装置との間でデータ通信を行うデータ通信用通信路とにより、当該電話通信用通信路を用いた電話通信と前記データ通信用通信路を用いた前記データ通信とを可能にする通信回線を提供する網に接続される電話端末装置において、
前記網と該電話端末装置とを接続する、前記電話通信用通信路及び前記データ通信用通信路のインタフェースを行う、インタフェース手段と、
前記網に対して送出するダイヤルの入力及び前記コンピュータ装置に対してデータ送信要求を行う要求の入力に用いるテンキーと、
機能を可変可能に用いられる機能キーと、
文字情報を含む画像情報を表示する表示手段と、
前記網に対して前記テンキーから入力されたダイヤルを含む接続要求情報を送出する電話接続要求手段と、
前記インタフェース手段に接続され、前記電話通信用通信路を介して前記相手電話機との間で音声通信系信号を送受信する音声通話手段と、
前記コンピュータ装置との通信接続を要求するデータ通信接続要求手段と、
前記データ通信接続要求手段によってデータ通信接続が要求されると、前記網に対してデータ通信接続要求情報を送出するデータ通信接続手段と、
前記インタフェース手段に接続されるデータ通信手段であって、前記データ接続要求情報を送出した後、前記データ通信用通信路を介して前記コンピュータ装置との間でデータ通信系信号を送受信するデータ通信手段と、
前記データ通信手段が前記コンピュータ装置から受信したテキスト情報を含むデータ通信系信号を受けると、当該テキスト情報に基づいて画像情報を生成する画像情報生成手段と、
前記表示手段を少なくとも第１領域と第２領域とに区画し、当該第１領域に前記画像情報生成手段が生成した画像情報を表示させると共に、当該第２領域に前記機能キーに対応させて当該機能キーの機能名を表示させる表示制御手段と、
前記データ通信手段によって前記コンピュータ装置との間でデータ通信状態の際に、前記テンキーから入力があると、当該入力を当該コンピュータ装置に対するデータ送信要求を行う要求入力として、当該要求入力に応じた要求情報を前記コンピュータ装置に送出する要求情報送出手段とを備えており、
該電話端末装置が前記コンピュータ装置との間で前記テンキーからの入力を前記コンピュータ装置に対するデータ送信要求として前記網に送出可能とすると共に、該電話端末装置が前記コンピュータ装置との間でデータ通信状態であっても該電話端末装置をオフフックしたりオンフックボタンを押下したりした場合には、該電話端末装置の前記テンキーからの入力をダイヤル情報として前記網に送出可能とするように構成し、
これにより、前記音声通話手段は、前記電話通信用通信路を介して接続された前記相手電話機との間で音声通信系信号を送受信し、
前記データ通信手段は、前記データ通信用通信路を介して接続された前記コンピュータ装置との間でデータ通信系信号を送受信するように構成したことを特徴とする電話端末装置。
【発明の詳細な説明】
【０００１】
【発明の属する技術分野】
本発明は、データ通信を行うことが可能な電話端末装置に関する。
【０００２】
【従来の技術】
従来のデータ通信システムは、ＩＥＥＥ ８０２．「 」に準拠するＬＡＮやイーサネット（登録商標）のシステムのようなホストコンピュータと連動した固定接続のデータ通信システムがある。
【０００３】
それは、専用のケーブルや専用の接続装置、及び高機能のデータ表示端末から成り、大規模なデータ通信システムを構築している。
【０００４】
【発明が解決しようとする課題】
しかしながら、上記従来のデータ通信システムにおいては、ホストコンピュータとデータ表示端末との間は固定接続であり、一度設置すると、増設や移設等の変更が難しく、変更のための接続には特別な専門知識が必要であり、運用上問題があった。
【０００５】
また、従来のデータ通信システムの構築のためには、高価な専用設備を必要とし、高価なシステムとなるうえ、大規模な運用となるため、システムの起動、運用、保守に時間とコストがかかるため、小規模での運用には適していないという問題もあった。
【０００６】
本発明の目的は、このような従来技術の問題を解決するものであり、増設や移設に関し、一般知識で容易に可能であり、小規模から大規模までの対応に容易であり、特に専用設備も用いず、低コストでデータ通信システムを構築することができる電話端末装置を提供することにある。
【０００７】
【課題を解決するための手段】
本発明の電話端末装置は、上記目的を達成するために、電話機、電話端末装置及び所定情報を管理記憶するコンピュータ装置を接続する網であって、前記電話端末装置は、少なくとも相手電話機との間で電話通信を行う電話通信用通信路と、前記相手電話機とは異なる接続先の前記コンピュータ装置との間でデータ通信を行うデータ通信用通信路とにより、当該電話通信用通信路を用いた電話通信と前記データ通信用通信路を用いた前記データ通信とを可能にする通信回線を提供する網に接続される電話端末装置において、前記網と該電話端末装置とを接続する、前記電話通信用通信路及び前記データ通信用通信路のインタフェースを行う、インタフェース手段と、前記網に対して送出するダイヤルの入力及び前記コンピュータ装置に対してデータ送信要求を行う要求の入力に用いるテンキーと、機能を可変可能に用いられる機能キーと、文字情報を含む画像情報を表示する表示手段と、前記網に対して前記テンキーから入力されたダイヤルを含む接続要求情報を送出する電話接続要求手段と、前記インタフェース手段に接続され、前記電話通信用通信路を介して前記相手電話機との間で音声通信系信号を送受信する音声通話手段と、前記コンピュータ装置との通信接続を要求するデータ通信接続要求手段と、前記データ通信接続要求手段によってデータ通信接続が要求されると、前記網に対してデータ通信接続要求情報を送出するデータ通信接続手段と、前記インタフェース手段に接続されるデータ通信手段であって、前記データ接続要求情報を送出した後、前記データ通信用通信路を介して前記コンピュータ装置との間でデータ通信系信号を送受信するデータ通信手段と、前記データ通信手段が前記コンピュータ装置から受信したテキスト情報を含むデータ通信系信号を受けると、当該テキスト情報に基づいて画像情報を生成する画像情報生成手段と、前記表示手段を少なくとも第１領域と第２領域とに区画し、当該第１領域に前記画像情報生成手段が生成した画像情報を表示させると共に、当該第２領域に前記機能キーに対応させて当該機能キーの機能名を表示させる表示制御手段と、前記データ通信手段によって前記コンピュータ装置との間でデータ通信状態の際に、前記テンキーから入力があると、当該入力を当該コンピュータ装置に対するデータ送信要求を行う要求入力として、当該要求入力に応じた要求情報を前記コンピュータ装置に送出する要求情報送出手段とを備えており、該電話端末装置が前記コンピュータ装置との間で前記テンキーからの入力を前記コンピュータ装置に対するデータ送信要求として前記網に送出可能とすると共に、該電話端末装置が前記コンピュータ装置との間でデータ通信状態であっても該電話端末装置をオフフックしたりオンフックボタンを押下したりした場合には、該電話端末装置の前記テンキーからの入力をダイヤル情報として前記網に送出可能とするように構成し、これにより、前記音声通話手段は、前記電話通信用通信路を介して接続された前記相手電話機との間で音声通信系信号を送受信し、前記データ通信手段は、前記データ通信用通信路を介して接続された前記コンピュータ装置との間でデータ通信系信号を送受信するように構成したことを特徴とする。
【０００８】
したがって、本発明は、通信機能および画像情報の表示機能を備え、かつ、画像情報を自らは記憶管理しない電話端末装置を、電話端末装置の通信機能を利用すると共に、電話通信回線を介して、画像情報を記憶管理するコンピュータ装置（情報管理装置）等に接続するシステム構成とすることが可能となり、増設や移設に関し、一般知識で容易に可能であり、小規模から大規模までの対応に容易であり、特に専用設備も用いず、低コストでデータ通信システムが行える電話端末装置を提供することができる。
【０００９】
【発明の実施の形態】
以下、本発明の一実施の形態を図面を参照して詳細に説明する。
【００１０】
図１は本発明のシステム構成図である。図１R>１において、構内交換機（以下「ＰＢＸ」という）１２は回線交換を行なうものである。また、ＰＢＸ１２は端末装置であるデータ電話端末（以下「ＩＤＴ」という）１０と、通常の内線電話機１３とを収容しており、それらの間で呼の交換接続を行なっている。さらに、ＰＢＸ１２はターミナルアダプタ（以下「ＴＡ」という）１４を介して情報管理装置であるホストコンピュータ（以下「ＨＯＳＴ」という）１６を接続しており、ＩＤＴ１０とＨＯＳＴ１６との接続も自在に行なう。
【００１１】
ＩＤＴ１０は電話機機能、データ通信機能、及びデータ通信の際の表示機能を有するものである。ただし、ＩＤＴ１０自身はデータの管理を行わず、ＨＯＳＴ１６で管理されているデータを享受するものである。したがって、ＨＯＳＴ１６はＩＤＴ１０とデータ通信を行ない、ＩＤＴ１０からの要求指令に応じて各種サービス機能を提供するものである。
【００１２】
なお、ＩＤＴ１０とＰＢＸ１２との間、及びＰＢＸ１２とＴＡ１４との間の通信路は、ＩＳＤＮ基本インタフェースである、いわゆる、２Ｂ＋Ｄの回線インタフェース１１で接続されている。
【００１３】
また、ＴＡ１４とＨＯＳＴ１６との間の通信路には、ＥＩＡ規格に準拠するＲＳ−２３２Ｃインタフェースであるシリアルインタフェース１５で接続されている。
【００１４】
図２は本発明のＩＤＴ１０の外観図であり、（ａ）は正面図、（ｂ）は左側面図、（ｃ）は右側面図、（ｄ）は裏面図を示している。
【００１５】
図２に示すように、ＩＤＴ１０は本体２００、ハンドセット２０１、回線接続用ローゼット２１７及び本装置にＡＣ１００ＶよりＤＣ電源を供給するＡＣアダプタ２１６により構成されており、また、本体２００には内線記入紙２０２、スピーカ２０３、表示手段であるＬＣＤ表示器２０４、ＬＣＤ表示器コントラスト調整ツマミ２１８及び各種押しボタンが実装されている。
【００１６】
図３はＩＤＴ１０の盤面図を示すものである。図３において、フリーファンクションボタン２０５はデータ通信時の発呼起動ボタンであり、発呼時に押下されたボタンに対応したコード（Ｆ１〜Ｆ５）が呼設定メッセージのユーザユーザ情報（ＵＵＩ）の中に、伝送データとして含まれ、ＰＢＸ１２に送信される。また、フリーファンクションボタン２０５は、データ通信回線接続後に押下された場合は通信パスを経由してＨＯＳＴ１６に送信され、各種サービスの提供を受けるものである。
【００１７】
訂正ボタン２０６はテンキー２０７により入力された数字の訂正用であり、ＬＣＤ表示器２０４の（ロ）の領域にモニタ表示された数字を、押下毎に右端から一文字ずつ消去して空白表示をさせるものである。テンキー２０７はデータ通信回線接続後に押下された場合は、数字入力はＬＣＤ表示器２０４にモニタ表示され、＃ボタン、またはフリーファンクションボタン２０５の内のＦ１〜Ｆ５のいずれかのボタンの押下後、通信パスを経由してＨＯＳＴ１６に送信され、各種サービスの提供を受けるものである。一方、テンキー２０７は、ハンドセット２０１のオフフック時、またはオンフックダイヤルボタン２１０の押下時には、ダイヤル番号入力用として電話機の発信用に使用され、ダイヤル番号入力後、発信／再ダイヤルボタン２０９を押下することにより、または６秒経過後、呼設定メッセージにより送信され、通話回線の接続を行なうものである。
【００１８】
発信／再ダイヤルボタン２０９は、前述の発信操作の他に、待機中またはオフフック中においては、再ダイヤル機能として、最後に発信された通信相手に再発信を行なうときにも使用されるものである。保留ボタン２０８は通話中の一時保留に使用されるものである。転送ボタン２１１は通話中の呼の転送に使用されるものである。フッキングボタン２１２は通話中にＰＢＸ１２に相手がアナログ回線のとき、フッキングパルスの送出を要求するときに使用されるものである。
【００１９】
切断ボタン２１５は、データ通信時にデータ通信回線を強制的に呼切断するとき使用されるものである。切替ボタン２１３は、データ通信回線がＬＣＤ表示部２０４に接続されているものを押下することにより外部端末側の回路に切替えるものである。音量ＵＰ、音量ＤＯＷＮボタン２１４は、待機中または着信音鳴動中においては、着信音のレベル調整を行ない、一方、ハンドセット２０１のオフフック中においては、ハンドセット受話音レベル調整を行ない、また、オンフックダイヤルボタン２１０の押下でモニタ受話中は、スピーカ音量の調整を行なうとき使用するものである。
【００２０】
図４はＩＤＴ１０の全体構成を示す内部ブロック図であり、図中の一点鎖線で区分された回線部４００Ａと表示部４００Ｂとより構成される。
【００２１】
通信手段としての回線部４００Ａにおいて、回線インタフェース回路４０１は、ＩＳＤＮ基本インタフェースである、いわゆる、２Ｂ＋Ｄのチャネルを有し、ＰＢＸ１２と呼制御及びＢチャネルの接続切替えを行なうデジタルラインインタフェースである。コーデックフィルタ回路４０２は、回線インタフェース回路４０１と接続され、音声信号のコード化、デコード化、及び各種トーンを発生させるものである。通話回路４０３は音声信号の利得、周波数特性を調整し、入出力先を切替制御するものである。
【００２２】
データ速度変換回路４０４は回線インタフェース回路４０１と接続され、データ通信時、ＢチャネルとＲＳ−２３２Ｃ間で、ビットフォーマットの変換、通信速度の変換を行なうものである。周辺回路４０５はＭＰＵバスの変換、アドレスデコーダ、ウォッチドックタイマ用回路である。電源電圧検出回路４０７は本装置のパワーオン時、リセット信号を送出させるものである。また、電源電圧の降下を検出したとき、及びウォッチドックタイマがタイムアウトした場合もリセット信号を送出させる。
【００２３】
キースキャン回路４０６は本装置の盤面に実装されている操作ボタンのマトリクス回路であり、押下された操作ボタンを検出するものである。ＭＰＵ４０８は回線部４００Ａ全体を制御するマイクロプロセッサである。また、回線部４００Ａから表示部４００Ｂへ、押下キーコード、通信属性、Ｄチャネル情報等の必要な情報を直列転送する機能も有するものである。
【００２４】
ＲＯＭ４０９はＭＰＵ４０８のプログラム及びデータを格納している記憶回路である。ＲＡＭ４１０はＭＰＵ４０８で演算、及び制御に使用されるデータを格納する書き替え可能で電源断で記憶内容が揮発する記憶回路である。ＥＥＰＲＯＭ４１１は本装置で登録した、及び登録変更した内容を格納する書き替え可能でかつ電源断しても記憶内容が揮発しない記憶回路である。
【００２５】
電源回路４１２は外部のＡＣアダプタより、直流の供給を受けて直流電圧（＋５Ｖ，−５Ｖ，−２１Ｖ）を出力するものである。
【００２６】
表示部４００Ｂにおいて、ＭＰＵ４２１は、表示部全体を制御するマイクロプロセッサであり、また、回線部４００Ａから，押下キーコード、通信属性、Ｄチャネル情報等の必要な情報を直列受信する機能も有するものである。通信データ送受信回路４２２は、データ速度変換回路４０４とＲＳ−２３２Ｃのインタフェースを介して直列通信データの送受信を行ない、並列通信データに変換するものである。ＲＯＭ４２４は、ＭＰＵ４２１のプログラム及びデータを格納している記憶回路である。ＲＡＭ４２３はＭＰＵ４２１で演算、及び制御に使用されるデータを格納する書き替え可能であり、電源断で記憶内容が揮発する記憶回路である。
【００２７】
アドレス選択回路（ＭＰＸ）４２５は、表示文字をコードで格納しておくバッファメモリ回路（Ｖ−ＲＡＭ）４２６に対し、格納アドレスをＭＰＵ４２１の指定にするか、ＬＣＤコントローラ４２９の指定にするか切替えるものである。ＣＧアクセス回路４２７は、バッファメモリ回路（Ｖ−ＲＡＭ）４２６より出力された表示文字コードに従い、キャラクタジェネレータ（ＣＧ）４２８をアクセスする為の変換コードを出力するものであり、そのコードに基づきキャラクタジェネレータ４２８は，ＬＣＤ表示に必要なドット情報を出力するものである。
【００２８】
ＬＣＤコントローラ４２９は、３２０×２４０ドットのＬＣＤ表示器４３０に画面表示させる為の制御回路であり、ＭＰＸ４２５へのアドレスタイミング送出、及びＬＣＤ表示タイミングの制御も行なうものである。
【００２９】
図５は本実施の形態におけるＩＤＴ１０の状態遷移図である。図５において、電源投入によりＰＯＷＥＲ ＯＮ状態５０１となり、続けてデータ通信の自動発呼を行ない、データ通信状態５０２へ自動的に遷移する。また、データ通信状態５０２において、切断ボタン２１５押下時も、一旦切断処理を行った後、ＰＯＷＥＲＯＮ状態５０１からの自動発呼と同様にデータ通信の自動発呼を行ない、再びデータ通信状態５０２へ遷移する。さらに、データ通信状態５０２において、ＨＯＳＴ１６がＥＲ ＯＦＦを発生すると待機状態５０３へ遷移する。
【００３０】
待機状態５０３において、ファンクションボタン２０５の内のいずれか（Ｆｎとする。ただしｎは１〜５）を押下することにより、データ通信の発呼が起動され、データ通信状態５０２へ遷移する。また、待機状態５０３において、着信があった場合には、自動応答をしてデータ通信状態５０２へ遷移する。
【００３１】
データ通信状態５０２において、テンキー２０７およびファンクションボタン２０５を押下すると、通信パスを経由して、押下操作に応じた情報がＨＯＳＴ１６へ送信される。また、データ通信状態５０２において、ハンドセット２０１のオフフックにより、またはオンフックダイヤルボタン２１０の押下により、待機状態５０４に遷移し、テンキー２０７は電話機機能の発呼用ダイヤルボタンとなり、発呼するダイヤル番号の入力が可能となる。この待機状態５０４において、相手応答があれば再びデータ通信状態５０２に遷移して、データ通信用として使用が可能となる。
【００３２】
図６は、本実施の形態のデータ通信システムにおけるパワーオンシーケンスである。図６において、まず、ＩＤＴ１０への電源投入６００によりＰＯＷＲ ＯＮ状態となり、ＩＤＴ１０が起動して初期設定がなされる。ＩＤＴ１０はＰＢＸ１２に対しユーザユーザ情報に自動発呼であるＦ０のコードすなわち発呼情報を含む呼設定メッセージ（ＳＥＴＵＰ）６０１をＤチャネルを経由して送信し、ＰＢＸ１２からの呼設定受付メッセージ（ＣＡＬＬ ＰＲＯＣ）６０２を受信する。
【００３３】
一方、ＰＢＸ１２はＴＡ１４に対して呼設定メッセージ（ＳＥＴＵＰ）６０３を送信する。すると、ＴＡ１４はそれを受け、ＨＯＳＴ１６に着信表示（ＣＩ）６０４を送出する。また、ＴＡ１４はＰＢＸ１２に対し呼出し中メッセージ（ＡＬＥＲＴ）６０５を送信し、ＰＢＸ１２はＩＤＴ１０に呼出し中メッセージ（ＡＬＥＲＴ）６０６を送信する。さらに、ＴＡ１４はＨＯＳＴ１６からのＥＲ ＯＮ６０７を受けてＰＢＸ１２に応答メッセージ（ＣＯＮＮＥＣＴ）６０８を送信し、ＰＢＸ１２はＩＤＴ１０に応答メッセージ（ＣＯＮＮＥＣＴ）６０９を送信する。続いて、ＰＢＸ１２はＴＡ１４には応答確認メッセージ（ＣＯＮＮ ＡＣＫ）６１１を送信する。ＣＯＮＮ ＡＣＫ６１１を受けたＴＡ１４はＨＯＳＴ１６に対し、通信パス（Ｂチャネル）６１３の接続確立を確認してＤＲ６１２を送出する。また、ＩＤＴ１０もＢチャネル６１３の接続確認後ＤＲ６１０をＩＤＴ内部表示出力に送出する。ここで、ＩＤＴ１０とＨＯＳＴ１６との間にＢチャネルの通話パス６１３が確立する。
【００３４】
ＤＲ６１２を受信したＨＯＳＴ１６は、タイミング（Ｔ0）１００ｍｓ以上経過後、ＨＯＳＴ１６のサービスソフトウェアより初期データとしてのＬＣＤ表示データ６１４をＢチャネル６１３を通して送信し、それを受信したＩＤＴ１０はＬＣＤ表示器２０４に表示させる。この初期データとは、いわゆる初期画面としてのメインメニューである。上記したように、ＩＤＴ１０は自身では画像情報のデータを管理していないので、メインメニューのデータもＨＯＳＴ１６から受けとる必要がある。さらに、ＩＤＴ１０は受信データのエラーの有無を判断し、エラー無しの場合又はエラー有りの場合は、承認テキスト（ＡＣＫ）又は拒否テキスト（ＮＡＫ）６１５をＢチャネル６１３を経由して送信する。
【００３５】
ＬＣＤ表示データを送信終了したＨＯＳＴ１６は、ＥＲ ＯＦＦ６１６をＴＡ１４に送出し、ＴＡ１４はＤチャネルにて切断メッセージ（ＤＩＳＣ）６１７をＰＢＸ１２に送信し、さらにＰＢＸ１２はＩＤＴ１０に切断メッセージ（ＤＩＳＣ）６１８を送信する。ＩＤＴ１０は解放メッセージ（ＲＥＬＥＡＳＥ）６１９をＰＢＸ１２へ送信し、さらにＰＢＸ１２は解放メッセージ（ＲＥＬＥＡＳＥ）６２０をＴＡ１４に送出し解放要求をする。
【００３６】
ＲＥＬＥＡＳＥ６１９を受信したＰＢＸ１２はＩＤＴ１０に解放完了メッセージ（ＲＥＬ ＣＯＭＰ）６２１を送信し、また、ＲＥＬＥＡＳＥ６２０を受信したＴＡ１４はＲＥＬ ＣＯＭＰ６２２をＰＢＸ１２に送信して、パワーオンシーケンスを終了する。
【００３７】
図７は、本実施の形態のデータ通信システムにおけるアプリケーションサービスシーケンスである。図７において、ＩＤＴ１０のＬＣＤ表示器２０４に表示されたメインメニューにおいて、享受する所望のアプリケーションサービス（以下「ＡＰＳ」という）を選択して、当該ＡＰＳに対応するファンクションボタン２０５の一つを押下する（７００）ことにより、その押下したボタン（Ｆｎ；ｎ＝１〜５）に対応したＡＰＳの提供を受けるべく、呼設定メッセージのユーザユーザ情報の中にＦｎを含めて、ＰＢＸ１２に送信される。その後、図６のパワーオンシーケンスにおける６０１ないし６１３と同じ手順を経て、Ｂチャネルでの通信パスが確立される。すなわちファンクションボタン２０５は所望のＡＰＳを選択する選択手段として機能する。
【００３８】
通信パスの確立後、選択したＡＰＳの表示データ７０１が、ＩＤＴ１０に送信されて、その表示データがＬＣＤ表示器２０４に表示される（７０２）。ＩＤＴ１０は確認メッセージ（ＡＣＫ）７０３をＨＯＳＴ１６に送信する。
【００３９】
また、表示されたＡＰＳに対して、必要なキー入力７０４により、キーデータ７０５がＨＯＳＴ１６に送信され、さらに対応する下位レベルの新たなＡＰＳ表示データの要求を行ない、その要求に対応したＡＰＳ表示データ７０６をＨＯＳＴ１６より受信し、ＬＣＤ表示器２０４に表示（７０７）させ、確認メッセージ（ＡＣＫ）７０８をＨＯＳＴ１６に送信する。この７０４から７０８までの繰り返しにより、目的とするサービスを受けることができる。
【００４０】
サービス提供を終了する場合、終了に相当するファンクションボタンＦｎを押下（７０９）すると、Ｂチャネルを経由しＦｎのキーデータ情報７１０がＨＯＳＴ１６のサービスソフトウェアに送信され、それに基づき初期画面データ７１１をＩＤＴ１０に送信する。ＩＤＴ１０は確認メッセージ７１２をＨＯＳＴ１６に送信する。その後は、図６のパワーオンシーケンスと同じ切断シーケンス６１６〜６２２の手順を行なう。
【００４１】
切断後は、初期画面データ７１１はＩＤＴ１０のＬＣＤ表示器２０４に残り、ＡＰＳのシーケンスを終了する。
【００４２】
図８は本実施の形態のデータ通信システムにおける強制切断シーケンスを示すものである。図８において、ＡＰＳ受信中に、回線異常や応答無しの状態で任意に強制切断を行なう場合、切断キー２１５を押下（８００）し、切断メッセージ（ＤＩＳＣ）８０１を送信するものである。それを受信したＰＢＸ１２はＴＡ１４に対し切断メッセージ（ＤＩＳＣ）８０２を送信し、さらにＩＤＴ１０に解放メッセージ（ＲＥＬＥＡＳＥ）８０４を送信し、解放完了メッセージ（ＲＥＬＣＯＭＰ）８０５を受信する。ホストコンピュータ１６はＥＲ ＯＦＦ８０６を送出し、ＴＡ１４はそれを受けＰＢＸ１２に対し解放メッセージ（ＲＥＬＥＡＳＥ）８０７を送信し、解放完了メッセージ（ＲＥＬ ＣＯＭＰ）８０８を受信し、強制切断を完了するものである。
【００４３】
また、ＲＥＬ ＣＯＭＰ８０５を受けたＩＤＴ１０はタイミングＴ１（Ｔ１は５００ｍｓ以上）を取り、初期設定の呼設定メッセージ（ＳＥＴＵＰ）８０９を送信し、パワーオンシーケンスと同じ起動シーケンスを経て、正常なサービス提供受信可能状態とするものである。
【００４４】
図９は本実施の形態のデータ通信システムにおけるエラー再送シーケンスである。図９において、ＬＣＤ表示データ９０１，９０３，９０５にエラーがあった場合、ＩＤＴ１０から否定メッセージ（ＮＡＫ）９０２，９０４，９０６をＨＯＳＴ１６のサービスソフトウェアに送信し再送、及びエラー表示の要求をする。ただし、表示データにエラーがある場合でも、ＩＤＴ１０はそのままＬＣＤ表示器２０４に表示をする。
【００４５】
図１０（ａ）、（ｂ）はＩＤＴ１０のコード変換の定義領域を示すものである。図１０（ａ）において、ＨＯＳＴ１６とのデータ通信で使用する文字は、１バイト系文字コードがＪＩＳ８単位コード１００１であり、２バイト系文字コードがシフトＪＩＳコード１００２，１００３である。双方のコードの定義領域が異なる為、混在されてもコードに重複がないので区別が可能である。
【００４６】
受信表示コードを文字表示させる為、ＣＧＲＯＭのアドレスに対応したコードに変換するが、まず、ＪＩＳ８単位コード１００１、及びシフトＪＩＳコード１００２，１００３をＪＩＳ漢字コード１００４，１００５に変換後、図１０（ｂ）に示すＣＧＲＯＭアドレス入力コード１００６に変換するものである。
【００４７】
図１１にハードウェアによるコード変換フローを示す。図１１において、ＨＯＳＴ１６より表示データを受信すると（ステップＳ１）、図１０に示す第１バイト目のコード定義領域により、ＪＩＳ８単位コード１００１かまたはシフトＪＩＳコード１００２，１００３かを判別する（ステップＳ２）。ＪＩＳ８単位コードは、１バイト構成となっており、英数字、半角文字、ＡＮＫ文字で構成される。また、シフトＪＩＳコードは、２バイト構成となっており、全角漢字コードとなっている。
【００４８】
ステップＳ２において、ＪＩＳ８単位コード１００１の場合、同じコードを２回続け、受信した表示データを２バイト化し（ステップＳ３）、表示バッファメモリへＬＣＤ表示器に表示する表示順に格納する（ステップＳ４）。また、シフトＪＩＳコード１００２，１００３の場合には、そのまま表示バッファメモリへＬＣＤ表示器に表示する表示順に２バイトずつ格納する。
【００４９】
次に、表示バッファメモリに格納された表示データを、表示順に読み出しを行ない、コード変換用ＲＯＭ（ＣＣＲＯＭ）へ入力し、ＣＧＲＯＭのアドレスに変換して出力する（ステップＳ５）。次に、ＣＧＲＯＭに下位４ビットを除くアドレスが入力されて、それに対応したキャラクタドット変換処理を行い（ステップＳ６）、ＬＣＤコントローラの制御により、一文字１６ドットの文字がＬＣＤに表示される（ステップＳ７）。
【００５０】
図１２はＩＤＴ１０のコード変換ＲＯＭデータ作成の概要フローを示し、図１３ないし図２５は図１２１２の詳細フローを示す。
【００５１】
図１２において、まず、ＨＯＳＴ１６から送信された受信データの第１バイト目で判断したものが、シフトＪＩＳ２バイトコードならば（ステップＳ１１）、“ＳＪＩＳ．ＢＡＳ”処理ルーチンによりＪＩＳ漢字の２バイトコードにコード変換し（ステップＳ１２）、“ＲＯＭ．ＢＡＳ”処理ルーチンによりＲＯＭアドレスデータＡにコード変換する（ステップＳ１３）。また、受信データの第１バイト目の判断したものが、ＪＩＳ８単位１バイトコードならば（ステップＳ１４）、“１ＢＹＴＥ．ＢＡＳ”処理ルーチンによりＲＯＭアドレスデータＢにコード変換する（ステップＳ１５）。次に、ＲＯＭアドレスデータＡとＲＯＭアドレスデータＢを１つにまとめ、１６ビットのＲＯＭアドレスデータとして整理する（ステップＳ１６）。さらに、ＲＯＭに書き込むため、１６ビットのアドレスに対し、１６ビットのコード変換データに整列させて出力し、ＲＯＭライタ書き込みデータとする（ステップＳ１７）。
【００５２】
図１３ないし図１７は“ＳＪＩＳ．ＢＡＳ”処理ルーチンの詳細フローであり、“Ｓ”はシフトＪＩＳコードを表し、“Ｊ”はＪＩＳコードを表している。図１４のフローは図１３のフローのステップＳ２１の処理ルーチン、図１５および図１６のフローは図１３のステップＳ２３およびステップＳ２４の処理ルーチン、並びに、図１７は図１３および図１４における“ＺＥＲＯ”の処理ルーチンである。
【００５３】
図１８ないし図２１は“ＲＯＭ．ＢＡＳ”処理ルーチンの詳細フローであり、ＲはＣＧＲＯＭアドレスを表している。図１９、図２０および図２１は、図１８１８におけるステップＳ３１、Ｓ３２およびＳ３３の処理ルーチンである。
【００５４】
また、図２２ないし図２５は“１ＢＹＴＥ．ＢＡＳ”処理ルーチンである。図２３、図２４および図２５のフローは図２２のステップＳ４１、Ｓ４２およびＳ４３の処理ルーチンである。
【００５５】
上記のフローで、コード変換用に作成したＲＯＭアドレスデータにより、受信データをＣＧＲＯＭのアドレス入力（下位４ビットを除く）コードに変換している。
【００５６】
図２６は図１１に示すコード変換フローとは異なり、ＣＣＲＯＭすなわちハードウェアを用いずソフトウェアによるものである。図２６において、表示データ受信（ステップＳ５１）から表示バッファメモリへの格納（ステップＳ５４）までの処理は、図１１におけるステップＳ１からステップＳ４までの処理と同一であり、その説明は省略する。
【００５７】
次に、表示バッファメモリより、表示順に読み出しを行ない、ＪＩＳ８単位コードか、シフトＪＩＳコードかの判別を行ない（ステップＳ５５）、ＪＩＳ８単位コードの場合には、ＣＧＲＯＭアドレスに変換する処理（演算１）を行なう（ステップＳ５６）。他方、シフトＪＩＳコードの場合には、まずＪＩＳ漢字コードに変換する処理（演算２）を行ない（ステップＳ５７）、その後ＣＧＲＯＭアドレスに変換する処理（演算３）を行なう（ステップＳ５８）。
【００５８】
さらに、その演算結果をＣＧＲＯＭのアドレス入力とし、図１１のステップＳ６およびステップＳ７と同様に、アドレス入力に対応したキャラクタドット変換処理（ＣＧＲＯＭ）を行ない（ステップＳ５９）、ＬＣＤ文字表示を行う（ステップＳ６０）。
【００５９】
このように、ソフトウェアでもＣＣＲＯＭを使ったハードウェアでもコード変換は可能であるが、通信データの量と通信速度の面を考慮し、コード変換速度に勝る、ＣＣＲＯＭを使用したハードウェアによるコード変換を本装置では採用するものとする。
【００６０】
図２７は本実施の形態のＩＤＴ１０でのＬＣＤ表示例であり、製造工場等における製品設計の業務に係るＡＰＳである。図２７において、ＬＣＤは漢字表示で２０桁、１３行の仕様であり、最上位行は電話系及びデータ通信系のモニタ表示であり、中央の１０行は通信データの表示であり、製品来歴、製造仕様その他の設計業務メニューを示している。下位２行はファンクションキーＦ１〜Ｆ５に対応するように送られてくる可変機能キーデータを表示するエリアである。本表示例ではメニュー選択のキー入力またはファンクションキーＦ１〜Ｆ５の押下により、次情報に展開し、必要とする情報を選択し入手する。この表示例では、Ｆ１〜Ｆ５は前頁、後頁、格納、印刷および終了の機能を有する。
【００６１】
図２８は本実施の形態で使用するデータフォーマット形式であり、スタートビットｓｔ（１ビット）、データビットｂ１〜ｂ８（８ビット）、パリティビットｐ（１ビット）、ストップビットｓｐ（１ビット）で構成されるシリアルデータである。
【００６２】
図２９（ａ）、（ｂ）および（ｃ）は本実施の形態で使用するテキスト形式であり、（ａ）は一般テキスト、（ｂ）はＡＣＫテキスト、（ｃ）はＮＡＫテキストの構成を示すものである。一般テキストはＳＴＸ（Ｓtart of Ｔext ）とＥＴＸ（Ｅnd of Ｔext）間に最大２５０バイト入れられるものであり、ブロックチェックのためのＢＣＣ（ブロックチェック・キャラクタ・コード）演算値も付加される。ＡＣＫテキストはＳＴＸとＥＴＸ間にＡＣＫの伝送制御キャラクタを入れ、ＢＣＣ演算値も付加される。また、ＮＡＫテキストはＳＴＸとＥＴＸ間にＮＡＫの伝送制御キャラクタとエラーコード（ＥＲ１，ＥＲ２）、及びＢＣＣ演算値も付加される。
【００６３】
受信データによりＩＤＴ１０に表示される一画面の最大表示の文字数は、１１行×４０桁＝４４０文字であり、そのデータ長は４４０バイトである。しかし、上記したように図２９（ａ）の一般テキストのテキスト長は最大２５０バイトであるので、ＨＯＳＴ１６が一般のパーソナルコンピュータである場合には、伝送制御キャラクタを除いて、一度に表示するデータが２５０バイトとなるように考慮されている。さらに、画面データの約半分を一テキストで転送可能とし、改行コードも含め、画面の上半分、または下半分は書替え可能としている。
【００６４】
また、図２９（ｂ），（ｃ）のＡＣＫテキスト、ＮＡＫテキストは、システム運用上、ＨＯＳＴ１６からの送信データ量が多く、ＩＤＴ１０側でその受信データの誤りチェックをＢＣＣ演算と照合して行い、その結果のＡＣＫテキスト、ＮＡＫテキストをホストコンピュータへ返送することにより、伝送データの誤り制御をホストコンピュータ側で管理制御可能としている。したがって、ＩＤＴ１０では伝送データの管理は行わず、単なる入出力装置として機能している。
【００６５】
さらに、ＢＣＣ演算値を付加し、伝送データの誤り制御をより詳細に可能としている。ＢＣＣの演算は、テキストのＳＴＸコードからＥＴＸまでを排他的ＯＲ（ＸＯＲ）した値とし、ＢＣＣコードエリアにセットしている。
【００６６】
図３０は本実施の形態で使用されるキー情報と伝送キャラクタを示すものである。図３０において、（ａ）は操作キーとその操作に応じた伝送データを示すものであり、例えば、伝送キーデータのＦ０Hは、ＩＤＴ１０のＰＯＷＥＲ ＯＮ時のメニュー起動要求用のコードである。（ｂ）は伝送制御キャラクタとその内容を示すものである。また、（ｃ）は表示制御キャラクタとその内容を示すものである。
【００６７】
本実施の形態の具体的な使用例を以下に示す。
（１）ＨＯＳＴ１６から送信されて、ＬＣＤ表示器に表示された図２７に示すメニュー画面に対し、キー入力により、例えば、１０２の製造仕様を選択すると、製造仕様に関する必要な情報の表示データがＨＯＳＴ１６から送信される。ＨＯＳＴ１６とＩＤＴ１０との間でのこのようなデータ通信は、ＩＳＤＮの一方のＢチャネルを使用するので、他方のＢチャネルを使用して、顧客と通話を行うことができるので、キー操作を行いながらその顧客と製品仕様に関する打ち合わせができる。その他キー操作による選択で在庫検索、管理業務に関する打ち合わせができることはもちろんである。
（２）通話を行う予定の相手、あるいは通話中の相手の電話番号のキー操作を行うことにより、当該相手に関する必要情報（例えば、相手のプロフィール等）の表示または検索が可能である。したがって、発信及び着信番号をＰＢＸ１２よりＨＯＳＴ１６へ予め送信する機能を持たせて、呼接続以前に相手の概要をＬＣＤ表示器に表示させ、その表示に応じて前もって対応を考えることが可能である。
（３）表示画面のメニュー選択により物品発注、納入の業務を画面を見ながら行うことができる。また、相手が留守の場合でも、その業務に関する必要な情報をピックアップして、ＨＯＳＴ１６に新たに記憶しておくことが可能である。
【００６８】
すなわち、このデータ通信システムのユーザは、膨大な資料を手元に用意することく、ＨＯＳＴ１６に記憶され複数のユーザで共用できるデータの中から、必要な情報を呼び出すことにより、製品設計に関するあらゆる情報を利用することができるのである。
【００６９】
なお、上記実施の形態のシステム構成においては、ＩＤＴ１０が接続される上位装置をＰＢＸ１２としたが、このようなシステム構成に限ることなく、他のシステム構成でも良い。以下、その他の実施の形態のシステム構成を示す。
（１）ＩＤＴ１０が接続される上位が網（ＩＳＤＮ）でもよい。この場合には、網に接続されているデータベース等の情報管理装置に記憶された情報を、網を介して呼び出すことも可能となる。
（２）ＩＤＴ１０との通信相手がＨＯＳＴ１６のみでなく、データ通信機能を有すれば、一般のパーソナルコンピュータでも、プリンタ等の他の装置でもよい。この場合には、例えば、パーソナルコンピュータからローカルなデータを読み出すこともできるし、ＨＯＳＴからのデータをプリンタで印刷することも可能となる。
【００７０】
さらに、ＩＤＴ１０の通信方法としては、上記実施の形態に限ることなく、以下に示す方法も可能である。
（１）ＩＤＴ１０からのファンクションキーＦ１〜Ｆ５による発呼の識別を、ＳＥＴＵＰメッセージのユーザユーザ情報（ＵＵＩ）の中に入れて識別させる方法。
（２）Ｆ１〜Ｆ５に相当するダイヤル番号（特番）で発呼させ識別させる方法。
（３）受信データがコード伝送のみでなく、画素情報での入力データに対しても表示させる方法。
（４）上記実施の形態のような非同期の９６００ｂｐｓのデータ通信でなく、同期方式や他の伝送速度でのデータ通信方法。
（５）実施の形態のテキスト形式、データフォーマット形式でなく、ＨＤＬＣ手順のような他の形式による通信方法。
【００７１】
【発明の効果】
本発明によれば、通信機能および文字情報を含む画像情報の表示機能を備え、かつ、画像情報を自らは記憶管理しない電話端末装置を、その通信機能を利用すると共に、電話通信回線を介して、画像情報を記憶管理するコンピュータ装置（情報管理装置）に接続するシステム構成とすることができ、専門知識の必要なしに、容易に電話端末装置（情報管理装置にアクセス可能な端末装置）の増設や移設が可能となるという効果を有する。
【００７２】
また、交換装置（ＰＢＸ）の容量を変えることにより、小規模から大規模の通信システムに対応でき、比較的、低コストでデータ通信システムを自在に構築できる効果がある。
【図面の簡単な説明】
【図１】本発明によるデータ通信方法を実現するためのデータ通信装置のシステム構成図である
【図２】図１における端末装置（ＩＤＴ）の外観図である。
【図３】図２におけるＩＤＴの盤面図である。
【図４】ＩＤＴの全体構成を示すブロック図である。
【図５】ＩＤＴの状態遷移図である。
【図６】図１に示すデータ通信システムにおけるパワーオンシーケンスの図である。
【図７】図１に示すデータ通信システムにおけるアプリケーションサービスシーケンスの図である。
【図８】図１に示すデータ通信システムにおける強制切断シーケンスの図である。
【図９】図１に示すデータ通信システムにおけるエラー再送シーケンスの図である。
【図１０】ＩＤＴのコード変換の定義領域を示す図である。
【図１１】ハードウェアによるコード変換フローを示す図である。
【図１２】コード変換ＲＯＭデータ作成の概要フローを示す図である。
【図１３】図１２のコード変換ＲＯＭデータ作成の詳細フローを示す図である。
【図１４】図１２のコード変換ＲＯＭデータ作成の詳細フローを示す図である。
【図１５】図１２のコード変換ＲＯＭデータ作成の詳細フローを示す図である。
【図１６】図１２のコード変換ＲＯＭデータ作成の詳細フローを示す図である。
【図１７】図１２のコード変換ＲＯＭデータ作成の詳細フローを示す図である。
【図１８】図１２のコード変換ＲＯＭデータ作成の詳細フローを示す図である。
【図１９】図１２のコード変換ＲＯＭデータ作成の詳細フローを示す図である。
【図２０】図１２のコード変換ＲＯＭデータ作成の詳細フローを示す図である。
【図２１】図１２のコード変換ＲＯＭデータ作成の詳細フローを示す図である。
【図２２】図１２のコード変換ＲＯＭデータ作成の詳細フローを示す図である。
【図２３】図１２のコード変換ＲＯＭデータ作成の詳細フローを示す図である。
【図２４】図１２のコード変換ＲＯＭデータ作成の詳細フローを示す図である。
【図２５】図１２のコード変換ＲＯＭデータ作成の詳細フローを示す図である。
【図２６】ソフトウェアによるコード変換フローを示す図である。
【図２７】ＩＤＴにおけるＬＣＤ表示例を示す図である。
【図２８】図１に示すデータ通信システムで使用するデータフォーマット形式を示す図である。
【図２９】図１に示すデータ通信システムで使用するテキスト形式の図である。
【図３０】図１に示すデータ通信システムで使用するキー情報と伝送キャラクタの図である。
【符号の説明】
１０ データ電話端末
１１ 回線インタフェース
１２ 構内交換機
１３ 内線電話機
１４ ターミナルアダプタ
１５ シリアルインタフェース
１６ 情報管理装置（ホストコンピュータ）
【図１】
0003761463.tif 000002
【図２】
0003761463.tif 000003
【図３】
0003761463.tif 000004
【図４】
0003761463.tif 000005
【図５】
0003761463.tif 000006
【図６】
0003761463.tif 000007
【図７】
0003761463.tif 000008
【図８】
0003761463.tif 000009
【図９】
0003761463.tif 000010
【図１０】
0003761463.tif 000011
【図１１】
0003761463.tif 000012
【図１２】
0003761463.tif 000013
【図１３】
0003761463.tif 000014
【図１４】
0003761463.tif 000015
【図１５】
0003761463.tif 000016
【図１６】
0003761463.tif 000017
【図１７】
0003761463.tif 000018
【図１８】
0003761463.tif 000019
【図１９】
0003761463.tif 000020
【図２０】
0003761463.tif 000021
【図２１】
0003761463.tif 000022
【図２２】
0003761463.tif 000023
【図２３】
0003761463.tif 000024
【図２４】
0003761463.tif 000025
【図２５】
0003761463.tif 000026
【図２６】
0003761463.tif 000027
【図２７】
0003761463.tif 000028
【図２８】
0003761463.tif 000029
【図２９】
0003761463.tif 000030
【図３０】
0003761463.tif 000031